【手続補正書】
【提出日】平成20年6月4日(2008.6.4)
【手続補正１】
【補正対象書類名】明細書
【補正対象項目名】請求項７
【補正方法】変更
【補正の内容】
【請求項７】  股関節及び足根関節を矯正するための手段（１６）は、第一の可撓性帯具（１７）と、第二の可撓性帯具（１８）とを備え、前記第一の可撓性帯具（１７）及び前記第二の可撓性帯具（１８）が、それぞれ、膝関節の上方及び下方で患者の下肢を囲んでおり、膝窩領域において対向する縦方向端縁同士で相互に接続される前記第一及び第二の可撓性帯具（１７、１８）の各々の一方の端部に設けられた留め具（２０）を使って距離を調節できるように膝関節の上方及び下方で固定されている、請求項１に記載の装置。
【手続補正２】
【補正対象書類名】明細書
【補正対象項目名】請求項１２
【補正方法】変更
【補正の内容】
【請求項１２】  上肢を矯正するための前記手段（３４）は、空間的に湾曲した第一の可撓性バンド（３５）と、空間的に湾曲した第二の可撓性バンド（３６）とを備え、前記第一の可撓性バンド（３５）及び前記第二の可撓性バンドは、それぞれ、肘関節の上方及び下方で上肢を囲んでおり且つ空間的に湾曲した前記第一及び第二の可撓性バンド（３５、３６）の各々の一方の端部に設けられた留め具によって距離を調節できるように肘関節の上方及び下方で固定されており、前記第一及び第二の可撓性バンド（３５、３６）は、その対向する縦方向端縁によって肘下領域において相互に接続されており、患者の掌に固定され且つ親指を外転させるように人間工学に基づいて構成されたＶ字形状の可撓性手根要素（３８）と、前記可撓性手根要素（３８）を前記第二の可撓性バンド（３６）と相互に接続する少なくとも１つの弾性ブレス（４０）を通じて前記第二の可撓性バンド（３６）に接続される前記可撓性手根要素（３８）の締め付け力を調節できるように、患者の手に前記可撓性手根要素（３８）を固定するための手段（３９）とが設けられており、前記弾性ブレス（４０）の両端部に、前記可撓性手根要素（３８）及び前記第二の可撓性バンド（３６）に対する前記ブレスの接続位置において前記ブレス（４０）の締め付けを調節するように構成されている複数の接続手段（４１）が設けられている、請求項１０に記載の装置。
【手続補正３】
【補正対象書類名】明細書
【補正対象項目名】請求項１３
【補正方法】変更
【補正の内容】
【請求項１３】  患者身体の上部領域に配置され、肩甲帯を外転させ且つ肩甲骨を脊椎に向かって内転させるように構成されているリクライナ（１）と、患者の腰部領域に配置される患者身体の中央領域を矯正するための手段と、予め定められた姿勢に股関節及び脛骨を固定できるようにすることで股関節及び脛骨を矯正するための少なくとも１つの手段（１６）と、足根関節に対して足を固定できる、足根関節及び足指を矯正するための少なくとも１つの手段（２１）と、複数の矯正回転要素（３３）と、複数の接続手段（４１）とを備える、中枢神経系障害又は運動器官損傷の後遺症を患う患者を治療するための装置において、
該装置の構成要素が患者の身体の特定部位を覆う個別のモジュール（Ａ、Ｂ、Ｃ、Ｄ）の形をとり、該モジュールの各々が独立して使用するのに適するように構成されており、
前記リクライナ（１）が、事実上、第一の可撓性バンド（２）及び第二の可撓性バンド（２）を備える第一のモジュール（Ａ）であり、前記第一の可撓性バンド及び前記第二の可撓性バンドの各々は、第一のストラップ及び第二のストラップが形成されるようにループ状に空間的に湾曲しており、各ストラップが、患者のそれぞれの肩関節を囲んでおり且つ前記第一の可撓性バンド（２）及び前記第二の可撓性バンド（２）の第一の端部（３）同士をその間の距離を調節できるように相互に接続するように構成されている相互作用手段（４）を有しており、前記相互作用手段は患者の背中に配置され、前記第一の可撓性バンド（２）の第二の端部（５）及び前記第二の可撓性バンド（２）の第二の端部（５）が前記相互作用手段（４）の近傍でそれぞれ前記第一及び第二の可撓性バンド（３）に留められており、
患者身体の中央領域を矯正するための前記手段が、本質的に、脊椎に垂直方向負荷を与えることなく脊椎を矯正するように構成されており且つ脊椎に垂直方向負荷を与えることなく脊椎を矯正する形状を有するコルセット（６）を備えた第二のモジュール（Ｂ）であり、前記コルセット（６）の第一の部分（７）が、患者身体の腰部領域を囲んでおり且つ患者身体に前記第一の部分を横方向に固定するための手段（９）を有する一方、前記コルセット（６）の第二の部分が患者背中の肩甲骨領域を覆っており、
股関節及び脛骨を矯正するための少なくとも１つの手段が、膝関節の動きに自由度を与えるように予め定められた姿勢に股関節及び脛骨を固定するように構成されており且つ第一の可撓性帯具（１７）と第二の可撓性帯具（１８）とを備える第三のモジュール（Ｃ）であり、前記第一の可撓性帯具（１７）及び前記第二の可撓性帯具（１８）が、それぞれ、膝関節の上方及び下方で患者の下肢を囲んでおり、膝窩領域において対向する縦方向端縁同士で相互に接続される前記第一及び第二の可撓性帯具（１７、１８）の各々の一方の端部に設けられた留め具（２０）を使って距離を調節できるように膝関節の上方及び下方で固定されており、
足根関節及び足指を矯正するための少なくとも１つの手段（２１）は、足根関節の動きに自由度を与えるように前面及び矢状面において足根関節に対して足を固定するように構成されている第四のモジュール（Ｄ）であり、足首を囲む第一の可撓性ベルト（２２）であって、その端部の一方に、端部間の距離を調節できるように該第一の可撓性ベルト（２２）を足首に固定するように構成されている相互作用手段（２４）を有する第一の可撓性ベルト（２２）と、足の縦方向足底弓領域を囲み且つ両端部が対向する両足首側面で前記第一の可撓性ベルト（２２）に取り付けられている第二の可撓性ベルト（２３）と、足指領域を囲むために互に向かって空間的に湾曲しており且つ留め具（３１）により相互に接続されている３つの端部（２７、２８、２９）を有している一方、第四の端部（３０）が未使用状態となっており且つ足の全長に沿って足の下に配置されるようになっている十字形状の足指足底要素（２６）とを備え、第一及び第二の可撓性ベルト（２２、２３）と前記足指足底要素（２６）との間の距離を調節できるように、足指領域において前記第一及び第二の可撓性ベルト（２２、２３）を前記足指足底要素に接続する２つの弾性ブレス（３２）が設けられており、
各モジュール（Ａ、Ｂ、Ｃ、Ｄ）の外側表面がマジックテープ（登録商標）式留め具接続に使用するのに適した起毛材料から作られ、
前記矯正回転要素（３３）が切り離し可能に前記第二、第三及び第四のモジュールを連続して接合し、前記矯正回転要素（３３）の各々が、患者の移動中の運動を矯正するように５％から５０％までの伸び率を有する弾性材料から作られるバンドの形をとり、前記第二、第三及び第四のモジュールの各々との接続部位において前記矯正回転要素（３３）の締め付けを調節するように構成されている複数の接続手段（４１）を有し、前記接続手段の各々が、患者が患う病状に応じて前記第二、第三及び第四のモジュールの外側表面の任意の位置にマジックテープ（登録商標）式留め具接続を行うのに適した係合表面を有していることを特徴とする、中枢神経系障害又は運動器官損傷の後遺症を患う患者を治療するための装置。
【手続補正４】
【補正対象書類名】明細書
【補正対象項目名】請求項１５
【補正方法】変更
【補正の内容】
【請求項１５】  前記装置が、肘関節の動きに自由度を与えるように予め設定された姿勢に患者の肩及び前腕を固定するように構成されている上肢を矯正するための少なくとも１つの手段（３４）の形をとる第五のモジュール（Ｅ）をさらに備え、前記モジュールの外側表面がマジックテープ（登録商標）式留め具に使用するのに適した起毛材料から作られており、
上肢を矯正するための前記手段（３４）は、空間的に湾曲した第一の可撓性バンド（３５）と、空間的に湾曲した第二の可撓性バンド（３６）とを備え、前記第一の可撓性バンド（３５）及び前記第二の可撓性バンド（３６）は、それぞれ、肘関節の上方及び下方で上肢を囲んでおり且つ空間的に湾曲した前記第一及び第二の可撓性バンド（３５、３６）の各々の一方の端部に設けられた留め具（３７）によって距離を調節できるように肘関節の上方及び下方で固定されており、前記第一及び第二の可撓性バンド（３５、３６）は、その対向する縦方向端縁によって肘下領域において相互に接続されており、患者の掌に固定され且つ親指を外転させるように人間工学に基づいて構成されたＶ字形状の可撓性手根要素（３８）と、前記可撓性手根要素（３８）を前記第二の可撓性バンド（３６）と相互に接続する少なくとも１つの弾性ブレス（４０）を通じて前記第二の可撓性バンド（３６）に接続される前記可撓性手根要素（３８）の締め付け力を調節できるように、患者の手に前記可撓性手根要素（３８）を固定するための手段（３９）とが設けられており、前記弾性ブレスの両端部に、前記可撓性手根要素（３８）及び前記第二の可撓性バンド（３６）に対する前記ブレスの接続位置において前記ブレスの締め付けを調節するように構成されている複数の接続手段（４１）が設けられており、
相互に切り離せるように前記第五のモジュール（Ｅ）を前記第一のモジュール（Ａ）に接続する少なくとも１つの矯正回転要素（３３）がさらに設けられ、該矯正回転要素は、５％から５０％までの伸び率を有する弾性材料から作られるバンドの形をとり且つ上肢の機能の際に上肢の運動を矯正するように構成されており、前記矯正回転要素（３３）は、前記第一のモジュール（Ａ）及び第五のモジュール（Ｅ）に対する前記矯正回転要素の接続位置において前記矯正回転要素の締め付けを調節するように構成されている複数の接続手段（４１）と、患者が患う病状に応じて前記第一のモジュール及び第五のモジュールの外側表面の任意の位置にマジックテープ（登録商標）式留め具に使用するのに適した係合表面とを備えている、請求項１３に記載の装置。
【手続補正５】
【補正対象書類名】明細書
【補正対象項目名】請求項１７
【補正方法】変更
【補正の内容】
【請求項１７】  患者身体の上部領域に配置され、肩甲帯を外転させ且つ肩甲骨を脊椎に向かって内転させるように構成されているリクライナ（１）と、患者の腰部領域に配置される患者身体の中央領域を矯正するための手段と、予め定められた姿勢に股関節及び脛骨を固定できるようにすることで股関節及び脛骨を矯正するための少なくとも１つの手段（１６）と、足根関節に対して足を固定できる、足根関節及び足指を矯正するための少なくとも１つの手段（２１）と、複数の矯正回転要素（３３）と、複数の接続要素（４１）とを備える、中枢神経系障害又は運動器官損傷の後遺症を患う患者を治療するための装置において、
該装置の構成要素が患者身体の特定部位を覆う個別のモジュール（Ａ、Ｂ、Ｃ、Ｄ）の形をとり、該モジュールの各々が独立して使用するのに適するように構成されており、
前記リクライナ（１）が、事実上、第一の可撓性バンド（２）及び第二の可撓性バンド（２）を備える第一のモジュール（Ａ）であり、前記第一の可撓性バンド及び前記第二の可撓性バンドの各々は、第一のストラップ及び第二のストラップが形成されるようにループ状に空間的に湾曲しており、各ストラップが、患者のそれぞれの肩関節を囲んでおり且つ前記第一の可撓性バンド（２）及び前記第二の可撓性バンド（２）の第一の端部（３）同士をその間の距離を調節できるように相互に接続するように構成されている相互作用手段（４）を有しており、前記相互作用手段は患者の背中に配置され、前記第一の可撓性バンド（２）の第二の端部（５）及び前記第二の可撓性バンド（２）の第二の端部（５）が前記相互作用手段（４）の近傍でそれぞれ前記第一及び第二の可撓性バンド（３）に留められており、
患者身体の中央領域を矯正するための前記手段が、本質的に、脊椎に垂直方向負荷を与えることなく脊椎を矯正するように構成されており且つ脊椎に垂直方向負荷を与えることなく脊椎を矯正する形状を有するコルセット（６）を備えた第二のモジュール（Ｂ）であり、前記コルセット（６）の第一の部分（７）が、患者身体の腰部領域を囲んでおり且つ患者身体に前記第一の部分を横方向に固定するための手段（９）を有する一方、前記コルセット（６）の第二の部分が患者背中の肩甲骨領域を覆っており、
股関節及び脛骨を矯正するための少なくとも１つの手段が、膝関節の動きに自由度を与えるように予め定められた姿勢に股関節及び脛骨を固定するように構成されており且つ第一の可撓性帯具（１７）と第二の可撓性帯具（１８）とを備える第三のモジュール（Ｃ）であり、前記第一の可撓性帯具（１７）及び前記第二の可撓性帯具（１８）が、それぞれ、膝関節の上方及び下方で患者の下肢を囲んでおり、膝窩領域において対向する縦方向端縁同士で相互に接続される前記第一及び第二の可撓性帯具（１７、１８）の各々の一方の端部に設けられた留め具（２０）を使って距離を調節できるように膝関節の上方及び下方で固定されており、
足根関節及び足指を矯正するための少なくとも１つの手段（２１）は、足根関節の動きに自由度を与えるように前面及び矢状面において足根関節に対して足を固定するように構成されている第四のモジュール（Ｄ）であり、足首を囲む第一の可撓性ベルト（２２）であって、その端部の一方に、端部間の距離を調節できるように該第一の可撓性ベルト（２２）を足首に固定するように構成されている相互作用手段（２４）を有する第一の可撓性ベルト（２２）と、足の縦方向足底弓領域を囲み且つ両端部が対向する両足首側面で前記第一の可撓性ベルト（２２）に取り付けられている第二の可撓性ベルト（２３）と、足指領域を囲むために互に向かって空間的に湾曲しており且つ留め具（３１）により相互に接続されている３つの端部（２７、２８、２９）を有している一方、第四の端部（３０）が未使用状態となっており且つ足の全長に沿って足の下に配置されるようになっている十字形状の足指足底要素（２６）とを備え、第一及び第二の可撓性ベルト（２２、２３）と前記足指足底要素（２６）との間の距離を調節できるように、足指領域において前記第一及び第二の可撓性ベルト（２２、２３）を前記足指足底要素（２６）に接続する２つの弾性ブレス（３２）が設けられており、
前記装置が、肘関節の動きに自由度を与えるように予め設定された姿勢に患者の肩及び前腕を固定するように構成されている上肢を矯正するための少なくとも１つの手段（３４）の形をとる第五のモジュール（Ｅ）をさらに備え、
上肢を矯正するための前記手段（３４）は、空間的に湾曲した第一の可撓性バンド（３５）と、空間的に湾曲した第二の可撓性バンド（３６）とを備え、前記第一の可撓性バンド（３５）及び前記第二の可撓性バンド（３６）は、それぞれ、肘関節の上方及び下方で上肢を囲んでおり且つ空間的に湾曲した前記第一及び第二の可撓性バンド（３５、３６）の各々の一方の端部に設けられた留め具（３７）によって距離を調節できるように肘関節の上方及び下方で固定されており、前記第一及び第二の可撓性バンド（３５、３６）は、その対向する縦方向端縁によって肘下領域において相互に接続されており、患者の掌に固定され且つ親指を外転させるように人間工学に基づいて構成されたＶ字形状の可撓性手根要素（３８）と、前記可撓性手根要素（３８）を前記第二の可撓性バンド（３６）と相互に接続する少なくとも１つの弾性ブレス（４０）を通じて前記第二の可撓性バンド（３６）に接続される前記可撓性手根要素（３８）の締め付け力を調節できるように、患者の手に前記可撓性手根要素（３８）を固定するための手段（３９）とが設けられており、前記弾性ブレス（４０）の両端部に、前記可撓性手根要素（３８）及び前記第二の可撓性バンド（３６）に対する前記弾性ブレス（４０）の接続位置において前記ブレス（４０）の締め付けを調節するように構成されている複数の接続手段（４１）が設けられており、
各モジュール（Ａ、Ｂ、Ｃ、Ｄ）の外側表面がマジックテープ（登録商標）式留め具接続に使用するのに適した起毛材料から作られ、
前記矯正回転要素（３３）が、切り離し可能に前記第二、第三及び第四のモジュールを連続して相互に接続し且つ切り離し可能に前記第一のモジュール（Ａ）を前記第五のモジュール（Ｅ）に相互に接続するように構成されており、前記矯正回転要素（３３）の各々が、患者の移動中の運動を矯正するように５％から５０％までの伸び率を有する弾性材料から作られるバンドの形をとり、前記第一、第二、第三及び第四のモジュール（Ａ、Ｂ、Ｃ、Ｄ）の各々との接続部位において前記矯正回転要素（３３）の締め付けを調節するように構成されている複数の接続手段（４１）を有し、前記接続手段の各々が、患者が患う病状に応じて前記第一、第二、第三及び第四のモジュール（Ａ、Ｂ、Ｃ、Ｄ）の外側表面の任意の位置にマジックテープ（登録商標）式留め具接続を行うのに適した係合表面を有していることを特徴とする、中枢神経系障害又は運動器官損傷の後遺症を患う患者を治療するための装置。
【手続補正６】
【補正対象書類名】明細書
【補正対象項目名】００１８
【補正方法】変更
【補正の内容】
【００１８】
中枢神経系の損傷の後遺症を含めて運動器官を患う患者の治療のための装置も現時点の技術上公知となっている（１９９８年９月１５日を優先日とするＲＦ特許第２,１３１,２３２号公報を参照のこと）。この装置は、本質的に相互補完的な要素から成るスーツであり、患者身体の上部用のリクライナ（リクライナは、肩甲帯及び胸部の支持設定帯具の形をとり、前記帯具は、事実上患者の第七頚椎から肩甲骨の下縁までの距離より大きい高さ及び肩甲骨の中間部の境を定める垂直線の間の距離より大きい幅を有するベルトである）と、患者の上部肩甲帯及び肩関節の身体的寸法に対応する三角ベルトの形をとる上部肩甲帯用の支持設定帯具と、他の支持設定要素に相互に固定するための装置を備えるベルトの形をとる腰部支持設定帯具と、膝蓋カップ及び膝窩支持体の形の下肢用の支持設定帯具と、各脚の前面部分用の帯具と、各足根関節及び各前母趾用の帯具とを含む。
【手続補正７】
【補正対象書類名】明細書
【補正対象項目名】００４９
【補正方法】変更
【補正の内容】
【００４９】
前記目的は、患者身体の上部領域に配置され、肩甲帯を外転させ且つ肩甲骨を脊髄に向かって内転させるように構成されているリクライナと、患者の腰部領域に配置される患者身体の中央領域を矯正するための手段と、予め定められた姿勢に股関節及び脛骨を固定するように構成されている股関節及び脛骨を矯正するための少なくとも１つの手段と、足根関節に対して足を固定できる足根関節及び足指を矯正するための少なくとも１つの手段と、複数の矯正回転要素と、複数の接続手段とを備える、中枢神経系障害及び／又は運動器官損傷の後遺症を患う患者を治療するための装置を提供することによって有効に達成できる。本発明によれば、この装置において、この装置の構成要素は、患者身体の特定部位を覆う個別のモジュールの形をとり、該モジュールの各々は、独立して使用するのに適するように構成されている。リクライナは、事実上、第一の可撓性バンド及び第二の可撓性バンドを備える第一のモジュールであり、第一の可撓性バンド及び第二の可撓性バンドの各々は、第一のストラップ及び第二のストラップが形成されるようにループ状に空間的に湾曲しており、各ストラップは、患者のそれぞれの肩関節を囲んでおり且つ第一の可撓性バンド及び第二の可撓性バンドの第一の端部同士をその間の距離を調節できるように相互に接続するように構成されている相互作用手段を有しており、相互作用手段は患者の背中に配置され、第一の可撓性バンドの第二の端部及び第二の可撓性バンドの第二の端部は相互作用手段の近傍でそれぞれ第一及び第二の可撓性バンドに留められている。患者身体の中央領域を矯正するための手段は、脊椎に垂直方向負荷を与えることなく脊椎を矯正するように構成されており且つ脊椎に垂直方向負荷を与えることなく脊椎を矯正する形状を有するコルセットを備えた第二のモジュールであり、コルセットの第一の部分は患者の腰部を囲んでおり且つ患者身体に前記第一の部分を横方向に固定するための手段を有する一方、コルセットの第二の部分は患者背中の肩甲骨部を覆っている。股関節及び脛骨を矯正するための少なくとも１つの手段は、膝関節の動きに自由度を与えるように予め定められた姿勢に股関節及び脛骨を固定するように構成されており且つ第一の可撓性帯具と第二の可撓性帯具とを備える第三のモジュールであり、第一の可撓性帯具及び第二の可撓性帯具は、それぞれ、膝関節の上方及び下方で患者の下肢を囲んでおり、第一及び第二の可撓性帯具の各々の一方の端部に設けられた留め具によってその間の距離を調節できるように膝関節の上方及び下方で固定され、第一及び第二の可撓性帯具は対向する縦方向端縁によって相互に接続されている。足根関節及び足指を矯正するための少なくとも１つの手段は、足根関節の動きに自由度を与えるように前面及び矢状面において足根関節に対して足を固定するように構成されている第四のモジュールであり、足首を囲む第一の可撓性ベルトであって、その端部の一方に、端部間の距離を調節できるように該第一の可撓性ベルトを足首に固定するように構成されている相互作用手段を有する第一の可撓性ベルトと、足の縦方向足底弓領域を囲み且つ両端部が対向する両足首側面で第一の可撓性ベルトに取り付けられている第二の可撓性ベルトと、足指領域を囲むために互に向かって空間的に湾曲しており且つ留め具により相互に接続されている３つの端部を有している一方、第四の端部が未使用状態となっており且つ足の全長に沿って足の下に配置されるようになっている十字形状の足指足底要素とを備え、第一及び第二の可撓性ベルトと足指足底要素との間の距離を調節できるように、足指領域において第一及び第二の可撓性ベルトを足指足底要素に接続する２つの弾性ブレスが設けられている。この装置は、予め設定された姿勢に肩及び前腕を固定し且つ肘関節の動きに自由度を与えるように構成されている上肢を矯正するための少なくとも１つの手段の形をとる第五のモジュールを備え、上肢を矯正するための手段は、空間的に湾曲した第一の可撓性バンドと、空間的に湾曲した第二の可撓性バンドとを備え、第一の可撓性バンド及び第二の可撓性バンドは、それぞれ、肘関節の上方及び下方で上肢を囲んでおり且つ空間的に湾曲した第一及び第二の可撓性バンドの各々の一方の端部に設けられた留め具によってその間の距離を調節できるように肘関節の上方及び下方で固定されており、第一及び第二の可撓性バンドは、その対向する縦方向端縁によって相互に接続されており、患者の掌に固定され且つ親指を外転させるように人間工学に基づいて構成されたＶ字形状の可撓性手根要素と、可撓性手根要素を前記第二の可撓性バンドと相互に接続する少なくとも１つの弾性ブレスを通じて第二の可撓性バンドに接続される可撓性手根要素の締め付け力を調節できるように、可撓性手根要素を掌に固定するための手段とが設けられており、弾性ブレスの両端部に、可撓性手根要素及び第二の可撓性バンドに対する弾性ブレスの接続位置においてブレスの締め付けを調節するように構成されている接続手段が設けられている。各モジュールの外側表面はマジックテープ（登録商標）式留め具接続に使用するのに適した起毛材料から作られている。矯正回転要素は、切り離し可能に第二、第三及び第四のモジュールを連続して相互に接続するように構成されており、各矯正-回転要素は、患者の移動中の運動を矯正するように５％から５０％までの伸び率を有する弾性材料から作られるバンドの形をとり、第一、第二、第三及び第四モジュールの各々との接続部位において矯正回転要素の締め付けを調節するように構成されている複数の接続手段を有し、接続手段の各々は、患者が患う病状に応じて第一、第二、第三及び第四のモジュールの外側表面の任意の位置にマジックテープ（登録商標）式留め具接続するのに適した係合表面を有している。
【手続補正８】
【補正対象書類名】明細書
【補正対象項目名】００７７
【補正方法】変更
【補正の内容】
【００７７】
上肢を矯正するための手段３４は、肘関節の上で上肢を囲み且つ第一の端部と第二の端部と中間部を有する縦方向端縁とを有する空間的に湾曲した第一の可撓性バンド３５と、肘関節の下で上肢を囲み且つ第一の端部と第二の端部と第一の可撓性バンド３５の縦方向端縁と対向して配置されており第一の可撓性バンド３５の縦方向端縁の中間部に接続された中間部を有する縦方向端縁とを有する空間的に湾曲した第二の可撓性ストラップ３６と、上肢の肘下領域に配置され且つ第一及び第二の可撓性バンド３５、３６の対向する縦方向端縁の中間部同士の間を接続する相互接続部位と、第一の可撓性バンド３５の第一の端部と第二の端部との間の距離を調節できるように肘関節の上で２つの端部を相互に接続する第一の相互作用手段３７と、第二の可撓性バンド３６の第一の端部と第二の端部との間の距離を調節できるように肘関節の下で第二の可撓性バンド３６を固定するために２つの端部を接続する第二の相互作用手段３７と、掌に固定し且つ手の親指を反らせるように人間工学に基づいて構成されており、各々が可撓性手根要素３８の締め付け力を調整できるように掌に固定するための手段３９を備えたＶ字形状の第一及び第二の端部を有する可撓性手根要素３８と、矯正回転要素３３と同様に形成されており且つ第一の端部及び第二の端部を有した第二の可撓性バンド３６に可撓性手根要素３８を接続する少なくとも１つ弾性ブレス４０と、可撓性手根要素２８及び第二の可撓性バンド２６への弾性ブレス２２の接続部位において弾性ブレスの締め付けを調節するために弾性ブレス４０の第一の端部及び第二の端部の各々に設けられた接続のための手段４１とを含んでいる。